(57)【特許請求の範囲】
【請求項１】
図柄が描かれたフィギュア本体と、このフィギュア本体の下部に設けられた取付用突起を備えたフィギュアを立てた状態でディスプレーすることのできる組み立て式のラックユニットを複数個連結した状態で組み立てることができるフィギュアディスプレーラック組立キットであって、
前記ラックユニットが、複数のラックパーツからなり、
このラックパーツが、２枚の床板兼中間板パネル、１枚の天板パネルおよび二対の側板パネルからなり、これらのパネルは、正方形を含めた矩形状のものであり、
前記側板パネルは、側板パネル本体と、この側板パネル本体の下辺に設けられ、前記床板兼中間板パネルと連結するための下突起と、該側板パネル本体の上辺に設けられ、前記天板パネルおよび中間板として作用する床板兼中間板パネルに連結するための上突起を備えており、
前記床板兼中間板パネルは、床板兼中間板パネル本体を備えており、この床板兼中間板パネル本体には、そのそれぞれの両側辺近傍には、前記側板パネルの下突起が嵌合する第１開口と、前記側板パネルの上突起が嵌合する第２開口とが形成されているとともに、該床板兼中間板パネル本体の中央部には、前記フィギュアの取付用突起が嵌合する第３開口が形成されており、
前記天板パネルは、天板パネル本体を備えており、この天板パネル本体の両側辺近傍のそれぞれには、前記側板パネルの上突起が嵌合する第４開口が形成されており、
以上のパネルにより、
１枚の床板兼中間板パネルを床板パネルとして、他の1枚の床板兼中間板パネルを中間板パネルとして用いて、上下2段の連結したフィギュア用ラックを組み立てられるようにした
ことを特徴とするフィギュアディスプレーラック組立キット。
【請求項２】
前記床板兼中間板パネル本体および天板パネル本体は、その一方の側辺に、横方向連結用凸部が、その他方の側辺に、前記横方向連結用凸部が嵌合する横方向連結用凹部が形成されている請求項１のフィギュアディスプレーラック組立キット。
【請求項３】
請求項１のフィギュアを基本フィギュアとしたとき、この基本フィギュアより高さおよび幅が大きい大型フィギュアのディスプレーのための大型フィギュア用ラックユニット用ラックパーツを更に備え、
この大型フィギュア用ラックユニット用ラックパーツは、前記基本フィギュアのための床板兼中間板パネルおよび天板パネルより長さの長い大型フィギュア用床板兼中間板パネルおよび天板パネルと、前記基本フィギュア用側板パネルの側板パネル本体の長さの２倍の長さに、前記基本フィギュア用床板兼中間板パネル１枚分の厚さを加えた長さを持つ一対の大型フィギュア用側板パネルを備え、
前記大型フィギュア用床板兼中間板パネルおよび天板パネルは、その一方の側辺に、前記基本フィギュア用の床板兼中間板パネル本体および天板パネル本体の他方の側辺に形成された横方向連結用凹部に嵌合する横方向連結用凸部が形成されており、その他方の側辺に、前記基本フィギュア用の床板兼中間板パネル本体および天板パネル本体の一方の側辺に形成された横方向連結用凸部に嵌合する横方向連結用凹部が形成されており、
請求項１で形成される上下2段の連結したフィギュア用ラックに横方向に連結される大型フィギュア用ラックを組み立てられるようにした請求項２のフィギュアディスプレーラック組立キット。
【請求項４】
請求項１のフィギュアを基本フィギュアとしたとき、この基本フィギュアより少なくとも高さが小さい小型フィギュアのディスプレーのための小型フィギュア用ラックユニット用ラックパーツを更に備え、
この小型フィギュア用ラックユニット用ラックパーツは、前記基本フィギュアのための側板パネルの側板パネル本体の高さの２／３または１／２の高さを持つ小型フィギュア用側板パネル本体を有し、小型フィギュア用床板兼中間板パネルおよび天板パネルは、基本フィギュア用のもののパネル本体に比べて、短いパネル本体を有するか、または前記基本フィギュアのためのものを兼用するようになっており、
前記小型フィギュア用床板兼中間板パネルおよび天板パネルは、その一方の側辺に、前記基本フィギュア用の床板兼中間板パネル本体および天板パネル本体の他方の側辺に形成された横方向連結用凹部に嵌合する横方向連結用凸部が形成されており、その他方の側辺に、前記基本フィギュア用の床板兼中間板パネル本体および天板パネル本体の一方の側辺に形成された横方向連結用凸部に嵌合する横方向連結用凹部が形成されており、
請求項１で形成されるフィギュア用ラックに横方向に連結される小型フィギュア用ラックを組み立てられるようにした
請求項２または３のフィギュアディスプレーラック組立キット。
【請求項５】
前記取付用突起がフィギュアの幅方向に長い矩形であり、前記第３開口が、前記取付用突起の矩形に対応した矩形であり、該第３開口を形成する一対の対向縁壁にそれぞれ、開口内方に突出する小突起が形成されている請求項１〜４のいずれかのフィギュアディスプレーラック組立キット。
【請求項６】
前記取付用突起は、円柱、またはフィギュアの幅方向に長い楕円柱であり、前記第３開口が、前記取付用突起の形状に対応した円形または楕円形であり、該第３開口を形成する内周壁に、周方向に間隔を置いて、開口内方に突出する複数の小突起が形成されている請求項１〜４のいずれかのフィギュアディスプレーラック組立キット。
【請求項７】
前記小突起が、楕円を長軸で切断した半楕円形状である請求項５または６のフィギュアディスプレーラック組立キット。
【請求項８】
前記床板兼中間板パネル、天板パネルおよび側板パネルが、アクリル製である請求項１〜７のいずれかのフィギュアディスプレーラック組立キット。
【請求項９】
前記第１開口および第２開口が、前記床板兼中間板パネルの側辺近傍の代わりに、前記床板兼中間板パネルの前辺および後辺近傍に形成されており、また、前記第４開口が、前記天板パネルの側辺近傍の代わりに、前記天板パネルの前辺および後辺近傍に形成されており、前記側板パネルは、前記ラックユニットの前壁、後壁のための立て壁パネルとしても用いられる請求項１〜８のいずれかのフィギュアディスプレーラック組立キット。
【請求項１０】
前記第１開口および第２開口が、前記床板兼中間板パネルの側辺近傍に加えて、前記床板兼中間板パネルの前辺および後辺近傍にも形成されており、また、前記第４開口が、前記天板パネルの側辺近傍に加えて、前記天板パネルの前辺および後辺近傍に形成されており、前記側板パネルは、前記ラックユニットの前壁、後壁のための立て壁パネルとしても用いられ、したがって、前記ラックパーツには、２〜４枚の側板パネルが含まれている請求項１〜８のいずれかのフィギュアディスプレーラック組立キット。
【請求項１１】
前記フィギュアの取付用突起が十字形であり、前記第3開口が、この取付用突起の十字形に対応した十字形である請求項１〜4のいずれかのフィギュアディスプレーラック組立キット。
【発明の詳細な説明】
【技術分野】
【０００１】
本発明は、フィギュアディスプレーラック組立キットに関し、特に、フィギュアを複数個ディスプレーするのに適したラックを形成するのに適したフィギュアディスプレー用ラック組立キットに関するものである。
【背景技術】
【０００２】
フィギュアの一つとしては、例えば、アイドル等を表したアクリル板製のものが知られている。
【０００３】
また、このようなフィギュアを保管しディスプレーするため、透明なアクリを用いたボックスが市販されているが、このようなボックスは、あくまで、フィギュアを単体でディスプレーするためのもので、複数個のフィギュアをディスプレーすることは、考慮していない。
【０００４】
小さな玩具やフィギュア、ミニカーの整理棚や店舗のディスプレーとして応用できる、易組み立て・分解可能で形状自在な棚家具として、実用新案登録第３１４５４９５号公報で提案されたものがある。
しかし、この棚家具では、フィギュア等を単に載置してディスプレーするだけであり、固定等が出来ず、棚板上でゴチャゴチャになってしまう恐れがある。
【先行技術文献】
【特許文献】
【０００５】
【特許文献１】実用新案登録第３１４５４９５号公報
【発明の概要】
【発明が解決しようとする課題】
【０００６】
そこで、本発明は、複数のフィギュアを個別にかつ連結感があるように、ディスプレーが可能なフィギュアディスプレーラックを組み立て形成することのできるフィギュアディスプレーラック組立キットを提供することを目的とする。
【課題を解決するための手段】
【０００７】
上記の目的は、本発明の下記（１）〜（１１）の構成のフィギュアディスプレーラック組立キットにより達成される。
（１）
図柄が描かれたフィギュア本体と、このフィギュア本体の下部に設けられた取付用突起を備えたフィギュアを立てた状態でディスプレーすることのできる組み立て式のラックユニットを複数個連結した状態で組み立てることができるフィギュアディスプレーラック組立キットであって、
前記ラックユニットが、複数のラックパーツからなり、
このラックパーツが、２枚の床板兼中間板パネル、１枚の天板パネルおよび二対の側板パネルからなり、これらのパネルは、正方形を含めた矩形状の同一厚さのものであり、
前記側板パネルには、その下辺に前記板兼中間板パネルと連結するための下突起が、一方、その上辺には、前記天板パネルと連結するための上突起が設けられており、
前記床板兼中間板パネルの両側辺近傍のそれぞれには、前記側板パネルの下突起が嵌合する第１開口と、前記側板パネルの上突起が嵌合する第２開口と、前記フィギュアの取付用突起が嵌合する第３開口が形成されており、
前記天板パネルの両側辺近傍のそれぞれには、前記側板パネルの上突起が嵌合する第４開口が形成されており、
以上のパネルにより、
１枚の床板兼中間板パネルを床板として、他の1枚の床板兼中間板パネルを中間板パネルとして用いて、上下2段の連結したフィギュア用ラックを組み立てられるようにした
ことを特徴とするフィギュアディスプレーラック組立キット。
（２）
前記床板兼中間板パネルおよび天板パネルは、その一方の側辺に、横方向連結用凸部が、その他方の側辺に、前記横方向連結用凸部が嵌合する横方向連結用凹部が形成されている前記（１）のフィギュアディスプレーラック組立キット。
（３）
前記（１）のフィギュアを基本フィギュアとしたとき、この基本フィギュアより高さおよび幅が大きい大型フィギュアのディスプレーのための大型フィギュア用ラックユニット用ラックパーツを更に備え、
この大型フィギュア用ラックユニット用ラックパーツは、前記基本フィギュアのための床板兼中間板パネルおよび天板パネルより長さの長い大型フィギュア用床板兼中間板パネルおよび天板パネルと、前記基本フィギュア用側板パネル２枚分の長さに前記基本フィギュア用床板兼中間板パネル１枚分の厚さを加えた長さを持つ一対の大型フィギュア用側板パネルを備え、
前記大型フィギュア用床板兼中間板パネルおよび天板パネルは、その一方の側辺に、前記基本フィギュア用の床板兼中間板パネル本体および天板パネル本体の他方の側辺に形成された横方向連結用凹部に嵌合する横方向連結用凸部が形成されており、その他方の側辺に、前記基本フィギュア用の床板兼中間板パネル本体および天板パネル本体の一方の側辺に形成された横方向連結用凸部に嵌合する横方向連結用凹部が形成されており、
請求項１で形成される上下2段の連結したフィギュア用ラックに横方向に連結される大型フィギュア用ラックを組み立てられるようにした前記（２）のフィギュアディスプレーラック組立キット。
（４）
前記（１）のフィギュアを基本フィギュアとしたとき、この基本フィギュアより少なくとも高さが小さい小型フィギュアのディスプレーのための小型フィギュア用ラックユニット用ラックパーツを更に備え、
この小型フィギュア用ラックユニット用ラックパーツは、前記基本フィギュアのための側板パネルの側板パネル本体の高さの２／３または１／２の高さを持つ小型フィギュア用側板パネル本体を有し、小型フィギュア用床板兼中間板パネルおよび天板パネルは、基本フィギュア用のもののパネル本体に比べて、短いパネル本体を有するか、または前記基本フィギュアのためのものを兼用するようになっており、
前記小型フィギュア用床板兼中間板パネルおよび天板パネルは、その一方の側辺に、前記基本フィギュア用の床板兼中間板パネル本体および天板パネル本体の他方の側辺に形成された横方向連結用凹部に嵌合する横方向連結用凸部が形成されており、その他方の側辺に、前記基本フィギュア用の床板兼中間板パネル本体および天板パネル本体の一方の側辺に形成された横方向連結用凸部に嵌合する横方向連結用凹部が形成されており、
前記（１）で形成されるフィギュア用ラックに横方向に連結される小型フィギュア用ラックを組み立てられるようにした
前記（2）または（３）のフィギュアディスプレーラック組立キット。
（５）
前記取付用突起がフィギュアの幅方向に長い矩形であり、前記第３開口が、前記取付用突起の矩形に対応した矩形であり、該第３開口を形成する一対の長辺部の対向縁壁にそれぞれ、開口内方に突出する小突起が形成されている前記（１）〜（４）のいずれかのフィギュアディスプレーラック組立キット。
（６）
前記取付用突起は、円柱、またはフィギュアの幅方向に長い楕円柱であり、前記第３開口が、前記取付用突起の形状に対応した円形または楕円形であり、該第３開口を形成する内周壁に、周方向に間隔を置いて、開口内方に突出する複数の小突起が形成されている前記（１）〜（４）のいずれかのフィギュアディスプレーラック組立キット。
（７）
前記小突起が、楕円を長軸で切断した半楕円形状である前記（５）のフィギュアディスプレーラック組立キット。
（８）
前記床板兼中間板パネル、天板パネルおよび側板パネルが、アクリル製である前記（１）〜（７）のいずれかのフィギュアディスプレーラック組立キット。
（９）
前記第１開口および第２開口が、前記床板兼中間板パネルの側辺近傍の代わりに、前記床板兼中間板パネルの前辺および後辺近傍に形成されており、また、前記第４開口が、前記天板パネルの側辺近傍の代わりに、前記天板パネルの前辺および後辺近傍に形成されており、前記側板パネルは、前記ラックユニットの前壁、後壁のための立て壁パネルとしても用いられる前記（１）〜（８）のいずれかのフィギュアディスプレーラック組立キット。
（１０）
前記第１開口および第２開口が、前記床板兼中間板パネルの側辺近傍に加えて、前記床板兼中間板パネルの前辺および後辺近傍にも形成されており、また、前記第４開口が、前記天板パネルの側辺近傍に加えて、前記天板パネルの前辺および後辺近傍に形成されており、前記側板パネルは、前記ラックユニットの前壁、後壁のための立て壁パネルとしても用いられ、したがって、前記ラックパーツには、２〜４枚の側板パネルが含まれている前記（１）〜（８）のいずれかのフィギュアディスプレーラック組立キット。
（１１）
前記フィギュアの取付用突起が十字形であり、前記第３開口が、この取付用突起の十字形に対応した十字形である前記（１）〜（４）のいずれかのフィギュアディスプレーラック組立キット。
【発明の効果】
【０００８】
本発明のフィギュアディスプレーラック組立キットにおいは、上記したような構成であるので、フィギュアを、複数、個々に独立した状態で立てて、また、全体としてまとまりのある状態でディスプレーでき、かつラックとして組立が容易であるという利点がある。
【図面の簡単な説明】
【０００９】
【図１】本発明の実施の形態によるフィギュアディスプレーラック組立キットを用いて形成されたフィギュアディスプレーラック示す正面図である。
【図２】図１に示したフィギュアディスプレーラック組立キットの基本フィギュア用ラックユニットの各パネルを示す図である。
【図３】図２に示したパネルを組み立てて形成した上下２段のフィギュアディスプレーラックを示す斜視図である。
【図４】図２に示したパネルを組み立てて形成した左右２連のフィギュアディスプレーラックを示す斜視図である。
【図５】図１に示したフィギュアディスプレーラック組立キットの大型フィギュア用ラックユニットの各パネルを示す図である。
【図６】上下２段、左右２連の４つの基本フィギュア用ディスプレーラックと、それらの横に大型フィギュア用ディスプレーラックを連結した状態で示す正面図である。
【図７】図１に示したフィギュアディスプレーラック組立キットの小型フィギュア用ラックユニットの各パネルを示す図である。
【図８】フィギュアの取付用突起が、円柱の場合の、床板兼中間板パネルの変形例を示す斜視図である。
【図９】図２に示した基本フィギュア用ラックユニットの各パネルの変形例を示す図である。
【図１０】図９に示したパネルを組み立てて形成したフィギュアディスプレーラックの分解斜視図である。
【図１１】図２に示した基本フィギュア用ラックユニットの各パネルの他の変形例を示す図である。
【図１２】図１１に示したパネルを組み立てて形成したフィギュアディスプレーラックの分解斜視図である。
【発明を実施するための形態】
【００１０】
以下、添付図面を参照しつつ、本発明の実施の形態によるフィギュアディスプレーラック組立キットに付いて説明する。
図１は、本発明の実施の形態によるフィギュアディスプレーラック組立キットを用いて形成されたフィギュアディスプレーラックにディスプレーされた３種のフィギュアの例を示す正面図である。これら３種のフィギュアとしては、例えば、図示されているように、基本フィギュアＦ１、この基本フィギュアより高さ（基本フィギュアのほぼ２倍）も、幅も大きな大型フィギュアＦ２、前記基本フィギュアより高さが小さな小型フィギュアＦ３が挙げられる。
【００１１】
前記基本フィギュアＦ１、大型フィギュアＦ２および小型フィギュアＦ３は、それぞれ、図柄が描かれたフィギュア本体Ｆ１ａ、Ｆ２ａおよびＦ３ａと、このフィギュア本体の下部に、フィギュア本体の幅方向に長く設けられた取付用突起Ｆ１ｂ、Ｆ２ｂおよびＦ３ｂを備えている。前記フィギュアディスプレーラックには、フィギュアを立てた状態でディスプレーすることができる。
【００１２】
本発明のフィギュアディスプレーラック組立キットは、組み立てられたラックユニットを複数個連結（上下方向および幅方向）した状態で組み立てることができる。本発明は、特に、ラックユニットを、上下方向に少なくとも２つ連結して形成される、２つ以上のフィギュアをディスプレーするためのラックを組み立てるために必要なフィギュアディスプレーラック組立キットを意図している。このラックには、その上下および／または幅方向に、大型もしくは小型のフィギュアのためのラックユニットを連結することができる。
【００１３】
前記基本フィギュアＦ１、大型フィギュアＦ２および小型フィギュアＦ３のためのラックユニット１０、１１０、２１０は、それぞれ複数のパネルであるラックパーツからなり、例えば、基本フィギュアＦ１（図１））の１つのラックユニット１０は、図２の（ａ），（ｂ），（ｃ）に示したように、１枚の床板兼中間板パネル２０、１枚の天板パネル３０および一対の側板パネルとして作用する立て壁パネル４０、４０から構成される。これらのパネルは、正方形を含めた矩形状の同一厚さのものであり、典型的には、アクリル板で構成される。以下、個々のパネルについて説明する。なお、全てのパネルの厚さは同一で、例えば３ｍｍとされる。前記基本フィギュア、大型フィギュア、小型フィギュアも、通常、同様に、アクリル板で構成され、全てのフィギュアの厚さは同一で、例えば３ｍｍとされる。フィギュアは、勿論、球状等の立体状であって良い。
【００１４】
＜基本フィギュアのためのラックユニット１０用のラックパーツ（図２参照）＞
・立て壁パネル４０（図２（ｃ））
この立て壁パネル４０は、その下辺４２から下方に伸び、互いに間隔を置いた２つで一対の下部連結用突起４４、およびその上辺４６から上方に伸びる１つの上部連結用突起４８を備えている。これらの突起の高さ（長さ）は、パネルの厚さと同一に設定されている。これらの下部連結用突起４４および上部連結用突起４８は、立て壁パネルの幅方向（組み立てられた状態では、奥行き方向）に長い矩形状のものである。
【００１５】
・床板兼中間板パネル２０（図２（ａ））
この床板兼中間板パネル２０においては、その両側辺２１、２２近傍のそれぞれに、前記立て壁パネル４０の下部連結用突起４４，４４が嵌合する、互いに間隔を置いて配置された２つで一対の第１開口２３、２３と、前記立て壁パネルの上部連結用突起４８が嵌合する、前記第１開口２３、２３の間に形成された第２開口２４と、前記フィギュアの取付用突起Ｆ１ｂが嵌合する、パネル中央部に形成され、長さが前記第１および第２開口より長い第３開口２５が形成されている。これら第１開口２３、２３、第２開口２４、および第３開口２５は、それぞれに嵌合する突起の形状に対応した矩形形状で形成されており、開口を形成する一対の長辺部の対向縁壁にそれぞれ、開口内方に突出する小突起２３ａ，２４ａ，２５ａが形成されている。開口の前記縁壁それぞれにつき、小突起２３ａ，２４ａは、一つずつ、小突起２５ａは、第３開口２５の長辺部の長さが長いため、二つ設けられていることが好ましい。なお、これらの小突起は、楕円を長軸で切断した半楕円形状であることが望ましい。
これらの小突起は、形成されるパネルの厚みに、どうしても０．２５〜０．５０ｍｍ程度のばらつきが出るため、これらのばらつきがあっても、連結用または取付用突起が、開口内にしっかりと保持されるようにするためのものである。
【００１６】
・天板パネル３０（図２（ｂ））
この天板パネル３０においては、その両側辺３１、３２近傍のそれぞれに、前記立て壁パネル４０の上部連結用突起４８が嵌合する開口３３が形成されている。この開口３３は、前記床板兼中間板パネル２０の前記第２開口２４に、パネルにおける配置位置および形状・構造の点で相対的に同一である。開口３３には、開口を形成する一対の長辺部の対向縁壁にそれぞれ、開口内方に突出する小突起３３ａが一つ形成されている。なお、この小突起は、楕円を長軸で切断した半楕円形状であることが望ましい。
【００１７】
以上のパネルから構成される基本フィギュアのためのラックユニット用パネルを二組準備し、それらを図３の組み立て図のように組み立てれば、上下２段の基本フィギュアディスプレー用ラックが形成される。なお、このとき、下側のラックの天井は、上側のラックの床板兼中間板パネルで代用されるので、１枚の天板パネルは、ここでは、使用されない。
【００１８】
前記基本フィギュアのためのラックユニットは、横方向（水平方向）にも連結することができる。
このため、前記床板兼中間板パネル２０および天板パネル３０には、それらの両側縁にそれぞれ、蟻形包みほぞ様の継ぎ手のための継ぎ手凸部２６、３６およびこれを嵌合して受ける継ぎ手凹部２７、３７が形成されている。
このような継ぎ手を用いることにより、基本フィギュアのためのラックユニットは、図４のように、横方向に連結して、複数のフィギュアを横に並べてディスプレーすることが出来るようになる。
【００１９】
＜大型フィギュアのためのラックユニット１１０用のパネル（図５参照）＞
・立て壁パネル１４０（図５（ｃ））
この立て壁パネル１４０は、前記基本フィギュアのためのラックユニット用の立て壁パネル４０より長さが長い（立て壁パネル１４０の凸部を除いた長さは、立て壁パネル４０のほぼ２倍の長さ（立て壁パネル２０の凸部４４，４８を除いた長さ（本体長さ）の２倍の長さに一つの凸部の長さを加えた長さ）を有している）ことを除いては、ほぼ同じ形態を有している。
したがって、基本フィギュア用パネルに用いた符号に「１（百）を加えた符号を付して、詳細な説明は省略する。以下、他のパネルも同様とする。
【００２０】
・床板兼中間板パネル１２０（図５（ａ））
この床板兼中間板パネル１２０は、通常、前記基本フィギュアのためのラックユニット用の床板兼中間板パネル２０より長さが長い（通常、大型フィギュアの幅に合わせて決定される）ことを除いては、ほぼ同じ形態を有している。
【００２１】
・天板パネル１３０（図５（ｂ））
この天板パネル１３０は、前記基本フィギュアのための天板パネル３０の場合と同様、前記床板兼中間板パネル１２０に対応した形態と対応した形態とされている。
【００２２】
＜小型フィギュアのためのラックユニット２１０用のパネル（図７参照）＞
・立て壁パネル２４０（図７（ｃ））
この立て壁パネル２４０は、その本体の長さ（立て壁パネル２４０の凸部２４４，２４８を除いた長さ（本体長さ））が、前記基本フィギュアのためのラックユニット用の立て壁パネル４０の本体長さより長さが短く、具体的には、立て壁パネル４０のパネル本体のほぼ１／２、もしくは２／３の長さであることを除いては、ほぼ同じ形態を有している。換言すれば、大型フィギュアの立て壁パネル１４０のそれの１／４、もしくは１／３である。
したがって、基本フィギュア用パネルに用いた符号に「２（百）を加えた符号を付して、詳細な説明は省略する。以下、他のパネルも同様とする。
【００２３】
・床板兼中間板パネル２２０（図７（ａ））
この床板兼中間板パネル２２０は、通常、前記基本フィギュアのためのラックユニット用の床板兼中間板パネル２０より長さが短い（通常、大型フィギュアの幅に合わせて決定される）ことを除いては、ほぼ同じ形態を有している。ただし、前記基本フィギュアのためのラックユニット用の床板兼中間板パネル２０を兼用することもできる。
【００２４】
・天板パネル２３０（図７（ｂ））
この天板パネル２３０は、前記基本フィギュアのための天板パネル３０の場合と同様、前記床板兼中間板パネル２２０に対応した形態と対応した形態とされている。
【００２５】
以上のパネルから構成される小型フィギュアのためのラックユニット２１０は、例えば、図１に示したようにして、基本フィギュアのためのラックユニット１０および／または大型フィギュアのためのラックユニット１１０と連結されて組み合わされる。
【００２６】
以上の例では、フィギュアがパネル状に形成されている例について説明したが、フィギュア（特に、小型フィギュア）は図８に示したような立体形状のフィギュア本体Ｆ４ａを備えたフィギュアＦ４とすることも出来る。この場合には、取付用突起Ｆ４ｂは、円柱、またはフィギュアの幅方向に長い楕円柱であることが好ましい。キット中の床板兼中間板パネル３２０の前記取付用突起Ｆ４ｂが嵌合する開口３２５は、前記取付用突起の形状に対応した円形または楕円形であり、該開口を形成する内周壁に、周方向に間隔を置いて、開口内方に突出する複数の小突起３２５ａが形成されていることが好ましい。
なお、図８の床板兼中間板パネルにおいては、立て壁パネルの突起が嵌合する開口は省略して示した。また、床板兼中間板パネルは、無色透明であることが多いが、図８では、構造を分かりやすくするため、輪郭のみを示した。
【００２７】
次に、図９および図１０を参照して、図２に示した基本フィギュア用ラックユニットの各パネルの変形例を説明する。
この変形例においては、天板パネルおよび床板兼中間板パネルが、上記の例に比べて、より正方形に近い形状を有している。
そして、これらの天板パネルおよび床板兼中間板パネルには、図９から分かるように、それらの前辺および後辺近傍に、前記開口３３、前記第１開口２３、第２開口２４が形成されている。
したがって、この変形例では、前記立て壁パネルは、図１０に示したように、前壁、後ろ壁として作用する。
このとき、後ろ壁として使用する立て壁パネルは、ディスプレーするフィギュアに関連して、有色、あるいは図柄を描いたパネルとしてもよい。例えば、フィギュアが熱帯魚の場合には、背景として海を表すブルー（透明、半透明、非透明）としたり、珊瑚等の海底近くの景色を描いたものであっても良い。
なお、フィギュアの取付用突起Ｆ１ｂを挿入するための開口を、符号「２５Ａ」で示したように、十字状としても良い、この場合、取付用突起Ｆ１ｂを、この開口に対応して、十字状としても良い。この取付用突起Ｆ１ｂおよび開口２５Ａの十字の形状により、フィギュアを、正面を向かせる他、横向きに設置することもできる。
【００２８】
次に、図１１および図１２を参照して、図２に示した基本フィギュア用ラックユニットの各パネルの他の変形例を説明する。
この変形例においては、天板パネルおよび床板兼中間板パネルが、図９、図１０の変形例と同様、より正方形に近い形状を有している。
そして、これらの天板パネルおよび床板兼中間板パネルには、図１１から分かるように、それらの両側辺に加えて、前辺および後辺近傍に、前記第１開口２３、第２開口２４が形成されている。両側辺近傍の第１開口２３および前辺および後辺近傍の第１開口２３は、図１１に示した様に、連続してカギ型をなしている。
そして、それらの開口に応じて、２つの下部連結用突起４４は、立て壁パネルの両側端下部に設けられている。また、前記開口のカギ型を、長い線状部分と、その長い線状部分の端部から直角に延びる短い線状部分とからなるものと考えると、これら２つの下部連結用突起４４は、一方の突起の横幅が前記長い線状部分に対応した長さを有し、他方の突起の幅が前記短い線状部分に対応した長さとする。すなわち、本例においては、図１１で示したように、一方の突起４４ａの長さ（幅）が、他方の突起４４ｂの長さ（幅）より長くされている。
以上から、この変形例では、前記立て壁パネルは、両側壁、前壁、後ろ壁として作用する（図１２参照）。なお、立て壁は、２枚以上立てれば、どのように配置しても良い。例えば、カギ型やこの字状に配置してもよい。
このとき、後ろ壁として使用する立て壁パネルは、ディスプレーするフィギュアに関連して、有色、あるいは図柄を描いたパネルとしてもよい。例えば、フィギュアが熱帯魚の場合には、背景として海を表すブルーとしたり、珊瑚等の海底近くの景色を描いたものであっても良い。
【符号の説明】
【００２９】
Ｆ１  基本フィギュア
Ｆ１ａ  基本フィギュア本体
Ｆ１ｂ  取付用突起
Ｆ２  大型フィギュア
Ｆ２ａ  大型フィギュア本体
Ｆ２ｂ  取付用突起
Ｆ３  小型フィギュア
Ｆ１ａ  小型フィギュア本体
Ｆ１ｂ  取付用突起
１０  基本フィギュアのためのラックユニット
２０  床板兼中間板パネル
３０  天板パネル
４０  立て壁パネル
１１０  大型フィギュアのためのラックユニット
１２０  床板兼中間板パネル
１３０  天板パネル
１４０  立て壁パネル
２１０  大型フィギュアのためのラックユニット
２２０  床板兼中間板パネル
２３０  天板パネル
２４０  立て壁パネル
【要約】      （修正有）【課題】複数のフィギュアを個別にかつ連結感があるように、ディスプレーが可能な組み立て形成することのできるフィギュアディスプレーラック組立キットを提供する。【解決手段】フィギュア本体Ｆ１ａと、下部に取付用突起Ｆ１ｂを備えたフィギュアＦ１を立てた状態でディスプレーすることができるフィギュアディスプレーラック組立キットであって、２枚の床板兼中間板パネル２０、１枚の天板パネル３０および二対の立て壁パネル４０からなり、立て壁パネルには、下辺に板兼中間板パネルと連結する下突起４４が、上辺には、上突起４８が設けられ、床板兼中間板パネルの両側辺近傍のそれぞれには、下突起が嵌合する第１開口２３と、立て壁パネルの上突起が嵌合する第２開口３３と、フィギュアの取付用突起が嵌合する第３開口２５が形成され、１枚の床板兼中間板パネルを床板として、他の1枚を中間板パネルとして用いて、上下2段を連結して組み立て可能とした。【選択図】図２【図１】
0006763593.tif 000002
【図２】
0006763593.tif 000003
【図３】
0006763593.tif 000004
【図４】
0006763593.tif 000005
【図５】
0006763593.tif 000006
【図６】
0006763593.tif 000007
【図７】
0006763593.tif 000008
【図８】
0006763593.tif 000009
【図９】
0006763593.tif 000010
【図１０】
0006763593.tif 000011
【図１１】
0006763593.tif 000012
【図１２】
0006763593.tif 000013